(57)【要約】【課題】  回転部材及び直線運動部材が本体（支持台）に取付けられる構造が簡素で、しかも、回転部材及び直線運動部材を本体に確実に固定することができるヒンジレス回転運動機構及びガイドレス直線運動機構を提供する。【解決手段】  圧接力調整ダイヤル４は、支持台１にねじ構造により保持される。圧接力調整ダイヤルを一方向に手指によって回転すると、断面が台形状の第１スライドこま３は矢印方向にスライドする。したがって、第１スライドこまにスライド接触する一対の第２スライドこま６はそれぞれ矢印方向にスライドする。各第２スライドこまには、軸７が固定され、各軸には、ワッシャ８と圧接部材２ａがはめ込まれる。各圧接部材は、回転部材又は直線運動部材に固定される。よって、各ワッシャが各圧接部材に圧接するため、回転部材又は直線運動部材は支持台に固定される。【選択図】  図４
2005339128.tif 000002
【特許請求の範囲】
【請求項１】
円弧状面を有する支持台と、
前記円弧状面に沿って回転可能な回転部材と、
前記支持台に保持される圧接力調整ダイヤルと、
前記圧接力調整ダイヤルによってスライドする断面が台形状の第１スライドこまと、
前記第１スライドこまにスライド接触する一対の第２スライドこまと、
前記各第２スライドこまに固定される軸と、
前記各軸にはめ込まれるワッシャと圧接部材とから構成され、
前記各圧接部材は前記回転部材に固定され、
前記圧接力調整ダイヤルを操作することにより、前記各ワッシャを前記各圧接部材に圧接することによって、前記回転部材が前記支持台に固定されることを特徴とするヒンジレス回転運動機構。
【請求項２】
前記圧接力調整ダイヤルが前記支持台にねじ構造により保持されることを特徴とする請求項１記載のヒンジレス回転運動機構。
【請求項３】
前記第１スライドこまが前記圧接力調整ダイヤル側にばねにより付勢されることを特徴とする請求項１記載のヒンジレス回転運動機構。
【請求項４】
平面を有する支持台と、
前記平面に沿って直線運動可能な直線運動部材と、
前記支持台に保持される圧接力調整ダイヤルと、
前記圧接力調整ダイヤルによってスライドする断面が台形状の第１スライドこまと、
前記第１スライドこまにスライド接触する一対の第２スライドこまと、
前記各第２スライドこまに固定される軸と、
前記各軸にはめ込まれるワッシャと圧接部材とから構成され、
前記各圧接部材は前記直線運動部材に固定され、
前記圧接力調整ダイヤルを操作することにより、前記各ワッシャを前記各圧接部材に圧接することによって、前記直線運動部材が前記支持台に固定されることを特徴とするガイドレス直線運動機構。
【請求項５】
前記圧接力調整ダイヤルが前記支持台にねじ構造により保持されることを特徴とする請求項４記載のガイドレス直線運動機構。
【請求項６】
前記第１スライドこまが前記圧接力調整ダイヤル側にばねにより付勢されることを特徴とする請求項４記載のガイドレス直線運動機構。
【発明の詳細な説明】
【技術分野】
【０００１】
本発明は、パーソナル・コンピュータのディスプレイ部等の分野における、ヒンジレス回転運動機構とガイドレス直線運動機構に関する。
【背景技術】
【０００２】
従来の技術としてユニット固定機構について説明する（例えば、特許文献１参照。）。
【０００３】
図６（Ａ）は、パーソナル・コンピュータの本体３６と、これにヒンジ機構３２，３３，３４，３５，３７によって取付けられるディスプレイ部３１との取付け前の要部の斜視図であり、図６（Ｂ）は、ヒンジ機構の断面図である。
【０００４】
ディスプレイ部３１の回転軸３２は、本体３６の軸孔３７にはめ込まれる。ディスプレイ部３１には、スプリングガイド３３が形成され、スプリングガイド３３に圧縮コイルスプリング３４がはめられる。ディスプレイ部３１のヒンジ機構には、蓋付円筒状の押付部材３５が、配設されて、圧縮コイルスプリング３４によって本体３６側へ押圧されている。
【０００５】
押付部材３５が押付けられる本体３６の円弧面には、ギザギザ形状面３８とスムーズ面３９とが連続して形成される。
【０００６】
ディスプレイ部３１が本体３６に対して閉鎖された位置から図６（Ａ），（Ｂ）に示される開放された位置まで回転するとき、最初に押付部材３５の先端の湾曲面は、スムーズ面３９に接触するため、摩擦抵抗が小さい。したがって、ディスプレイ部３１は、小さい回転力によって回転する。続いて、押付部材３５の先端の湾曲面は、ギザギザ形状面３８に接触するため、摩擦抵抗が大きい。したがって、ディスプレイ部３１は、小さい回転力によっては回転しない。
【０００７】
【特許文献１】特開平５−３５３６３号公報（第２頁第２欄第４０行−第３頁第３欄第２２行、図１，２）
【発明の開示】
【発明が解決しようとする課題】
【０００８】
前記従来のユニット固定機構は、ヒンジ機構を有するため、構造が複雑である。また、ディスプレイ部が開放位置にあるとき、過大な回転力を作用されると、ディスプレイ部は無用に回転する。
【０００９】
そこで、本発明は、前記従来の技術の欠点を改良し、ディスプレイ部等の回転部材が本体（支持台）に取付けられる構造が簡素で、しかも、回転部材が開放位置にあるとき、過大な回転力を作用されても、回転部材は無用に回転しないヒンジレス回転運動機構、及び、更に拡張してガイドレス直線運動機構を提供しようとするものである。
【課題を解決するための手段】
【００１０】
本発明は、前記課題を解決するため、次の手段を採用する。
【００１１】
１．円弧状面を有する支持台と、前記円弧状面に沿って回転可能な回転部材と、前記支持台に保持される圧接力調整ダイヤルと、前記圧接力調整ダイヤルによってスライドする断面が台形状の第１スライドこまと、前記第１スライドこまにスライド接触する一対の第２スライドこまと、前記各第２スライドこまに固定される軸と、前記各軸にはめ込まれるワッシャと圧接部材とから構成され、前記各圧接部材は前記回転部材に固定され、前記圧接力調整ダイヤルを操作することにより、前記各ワッシャを前記各圧接部材に圧接することによって、前記回転部材が前記支持台に固定されるヒンジレス回転運動機構。
【００１２】
２．前記圧接力調整ダイヤルが前記支持台にねじ構造により保持される前記１記載のヒンジレス回転運動機構。
【００１３】
３．前記第１スライドこまが前記圧接力調整ダイヤル側にばねにより付勢される前記１記載のヒンジレス回転運動機構。
【００１４】
４．平面を有する支持台と、前記平面に沿って直線運動可能な直線運動部材と、前記支持台に保持される圧接力調整ダイヤルと、前記圧接力調整ダイヤルによってスライドする断面が台形状の第１スライドこまと、前記第１スライドこまにスライド接触する一対の第２スライドこまと、前記各第２スライドこまに固定される軸と、前記各軸にはめ込まれるワッシャと圧接部材とから構成され、前記各圧接部材は前記直線運動部材に固定され、前記圧接力調整ダイヤルを操作することにより、前記各ワッシャを前記各圧接部材に圧接することによって、前記直線運動部材が前記支持台に固定されるガイドレス直線運動機構。
【００１５】
５．前記圧接力調整ダイヤルが前記支持台にねじ構造により保持される前記４記載のガイドレス直線運動機構。
【００１６】
６．前記第１スライドこまが前記圧接力調整ダイヤル側にばねにより付勢される前記４記載のガイドレス直線運動機構。
【発明の効果】
【００１７】
明細書の説明から明らかなように、本発明は、次の効果を奏する。
【００１８】
１．固定機構は、圧接力調整ダイヤルと、第１スライドこまと、一対の第２スライドこまと、一対の軸と、一対のワッシャと、一対の圧接部材とから構成されるので、構造が簡素である。
【００１９】
２．一対のワッシャが一対の圧接部材に圧接するので、回転部材又は直線運動部材が支持台に確実に、しかも、スムーズに固定される。
【発明を実施するための最良の形態】
【００２０】
本発明の二つの実施例のヒンジレス回転運動機構とガイドレス直線運動機構について説明する。
【実施例１】
【００２１】
本発明の実施例１のヒンジレス回転運動機構について図１〜図４を参照して説明する。
【００２２】
ヒンジレス回転運動機構の模式的斜視図を図１に示す。図１において、支持台１の円弧状面１ａ上に、略半円筒状の回転部材２が回転可能に支持されている。図１（Ａ）の状態において、回転部材２が回転軸Ｃを中心として若干の角度左回転すると、図１（Ｂ）に示される状態に至る。この状態で、回転部材２は、支持台１に後述する手段によって固定される。
【００２３】
図２はヒンジレス回転運動機構の三面図であり、（Ａ）は正面図、（Ｂ）は側面図、（Ｃ）は底面図を、それぞれ示す。図３（Ａ）は図２（Ａ）における線Ａ−Ａによる断面図、図３（Ｂ）は図３（Ａ）における略半円筒状の回転部材２が支持台１に対して若干の角度左方向に回転した状態の断面図を、それぞれ示す。図４（Ａ）は図２（Ｃ）における線Ｂ−Ｂによる断面図、図４（Ｂ）は図４（Ａ）における支持台１の内部の拡大断面図を、それぞれ示す。
【００２４】
左右対称形状の図４（Ｂ）に示されるように、支持台１の下部中央には、断面が台形状の第１スライドこま３が上下方向にスライド可能に配設され、第１スライドこま３の下面に圧接力調整ダイヤル４が当接する。圧接力調整ダイヤル４は、図３（Ａ）に示されるように、雄ねじであり、支持台１の雌ねじ部にねじ込まれる。第１スライドこま３は、一対のモールドばね５によって下方へ押圧されている。圧接力調整ダイヤル４を支持台１に対してねじ込むと、第１スライドこま３は圧接力調整ダイヤル４の頭部によって押し上げられて上方へスライドし、圧接力調整ダイヤル４をゆるめると、第１スライドこま３は下方へスライドする。
【００２５】
第１スライドこま３の左右両側には、第２スライドこま６がスライド可能に配設されている。第１スライドこま３の両側の斜面と各第２スライドこま６の斜面とは、それぞれスライド接触する。
【００２６】
各第２スライドこま６には、軸７が固定され、各軸７にワッシャ８と回転部材２に固定される圧接部材２ａがはめ込まれる。各圧接部材２ａには、図３（Ａ），（Ｂ）に示されるように、回転部材２が回転できるように、円弧状孔２ａ１が形成される。
【００２７】
回転部材２を支持台１に対して固定する方法について説明する。図３（Ａ）に示される状態から回転部材２を左回転して図３（Ｂ）に示される状態まで至らせる。この状態において、圧接力調整ダイヤル４を図４（Ｂ）の一方向に手指によって回転すると、第１スライドこま３が矢印方向にスライドするので、各第２スライドこま６はそれぞれ矢印方向にスライドする。すると、各軸７及び各ワッシャ８もそれぞれ同方向に移動するので、各ワッシャ８はそれぞれ各圧接部材２ａに圧接する。したがって、回転部材２は、回転を阻止される。なお、図４（Ｂ）に示される構造では、各軸７の先端が各圧接部材２ａから若干突出するが、各軸７の先端は、移動しても、支持台１の内面に設けられた凹部（図示せず）に進入するため、各ワッシャ８と各圧接部材２ａとの圧接に支障を及ぼさない。
【００２８】
このようにして、回転部材２は、支持台１に対して所望の角度位置に固定される。
【実施例２】
【００２９】
本発明の実施例２のガイドレス直線運動機構について模式的斜視図の図５を参照して説明する。
【００３０】
実施例２についての説明は、実施例１と同様な点の説明を省略し、相違する点のみの説明を行う。
【００３１】
実施例１における「支持台１」、「円弧状面１ａ」、「回転部材２」は、実施例２では、図５に示されるように、それぞれ「支持台１１」、「平面１１ａ」、「直線運動部材１２」に代替する。
【００３２】
図５において、支持台１１の平面１１ａ上に、直方体状の直線運動部材１２がスライド可能に支持されている。図５（Ａ）の状態において、直線運動部材１２が左方向へ若干スライドすると、図５（Ｂ）に示される状態に至る。この状態で、直線運動部材１２は、支持台１１に固定される。
【００３３】
本実施例では、圧接力調整ダイヤル４は、支持台１にねじ構造により保持されるが、クリップ・ストップ等の他の手段により保持されるように設計変更することができる。
【００３４】
また、本実施例では、圧接部材２ａが回転部材２に固定されるが、両部材２，２ａは一体成形することができる。
【図面の簡単な説明】
【００３５】
【図１】本発明の実施例１のヒンジレス回転運動機構の模式的斜視図であり、（Ａ）は回転前の状態、（Ｂ）は回転後の状態を、それぞれ示す。
【図２】同ヒンジレス回転運動機構の三面図であり、（Ａ）は正面図、（Ｂ）は側面図、（Ｃ）は底面図を、それぞれ示す。
【図３】（Ａ）は図２（Ａ）における線Ａ−Ａによる断面図、（Ｂ）は（Ａ）における回転部材が支持台に対して若干の角度左方向に回転した状態の断面図を、それぞれ示す。
【図４】（Ａ）は図２（Ｃ）における線Ｂ−Ｂによる断面図、（Ｂ）は（Ａ）における支持台の内部の拡大断面図を、それぞれ示す。
【図５】本発明の実施例２のガイドレス直線運動機構の模式的斜視図であり、（Ａ）は移動前の状態、（Ｂ）は移動後の状態を、それぞれ示す。
【図６】従来のユニット固定機構であり、（Ａ）はディスプレイ部がパーソナル・コンピュータの本体に取付けられる前の要部の斜視図、（Ｂ）はヒンジ機構の断面図を、それぞれ示す。
【符号の説明】
【００３６】
１  支持台
１ａ  円弧状面
２  回転部材
２ａ  圧接部材
２ａ１  円弧状孔
３  第１スライドこま
４  圧接力調整ダイヤル
５  モールドばね
６  第２スライドこま
７  軸
８  ワッシャ
１１  支持台
１１ａ  平面
１２  直線運動部材
【図１】
2005339128.tif 000003
【図２】
2005339128.tif 000004
【図３】
2005339128.tif 000005
【図４】
2005339128.tif 000006
【図５】
2005339128.tif 000007
【図６】
2005339128.tif 000008